(57)【特許請求の範囲】
【請求項１】
擬似的にパトランプの態様で発光する発光装置であって、
基板と、
前記基板上に円弧状に配置された複数の光源と、
前記複数の光源を覆うように設けられた光反射部材とを備え、
前記光反射部材が、各光源を区画する湾曲面から構成される複数の抉り部を有し、
前記複数の抉り部のうち、前記複数の光源のうち正面視において端部に位置する端部側光源の正面側前方に位置する第１の抉り部が、前記端部側光源が発する光が正面から視認されるように、前記湾曲面に前記端部側光源を区画する他の湾曲面の背面側後方の一部が目視可能な貫通孔及び／又は切り欠き部を有することを特徴とする発光装置。
【請求項２】
各抉り部が、
前記光反射部材の外側に向かって開放された開口部と、
前記開口部と反対側に形成された天井部と、
隣接する他の抉り部との間を区画する区画壁とを有し、
前記第１の抉り部が、さらに、前記端部側光源の正面側前方に位置する区画壁に背面側後方に位置する他の区画壁の一部が目視可能な貫通孔及び／又は切り欠き部を有し、
前記天井部及び前記区画壁がそれらの内壁面を光反射面として構成されることを特徴とする請求項１に記載の発光装置。
【請求項３】
前記抉り部が、前記端部側光源の背面側後方にある前記区画壁において、前記光反射部材の径方向外方へ延出する延出部を有することを特徴とする請求項１又は２に記載の発光装置。
【発明の詳細な説明】
【技術分野】
【０００１】
本発明は、発光装置及びそれを備える遊技機に係り、特に、擬似的にパトランプの態様で発光する発光装置及びそれを備える遊技機に関する。
【背景技術】
【０００２】
たとえばパチンコ遊技機は、その遊技盤上に各種の発光装置が備えられている。この発光装置は、遊技盤上に発射されたパチンコ球がたとえば所定の始動口に入球すると点滅等がなされ、注意を喚起させるとともに、遊技者の興を向上させるようになっている。
【０００３】
そして、このような発光装置の中には、たとえば下記特許文献１に示すように、いわゆるパトランプの如く発光態様を呈する発光装置があり、他の種類の発光装置よりも一層の興趣を盛り上げることができるものが知られている。
【０００４】
特許文献１に示す発光装置は、概略、次のように構成されている。すなわち、遊技盤の表面に対して遊技者側へ突出して配置される基板があり、この基板の上面に、遊技者側に凸となる円弧状に複数（たとえば４個）の発光ダイオードが搭載されている。また、基板には、各発光ダイオードを隣接する他の発光ダイオードと区画するための区画壁が配置され、これら区画壁の上端には天井部を備えるようになっている。互いに隣接する一対の区画壁の間に形成される天井部はその内面（発光ダイオードに対向する面）が遊技者から目視できるように傾斜して配置されている。各発光ダイオードを囲んで配置される一対の区画壁及び天井部は、それらの内面に光反射処理がなされることによって、リフレクタとしての機能を有するようになっている。
【０００５】
このように構成された発光装置は、たとえば、並設される複数のダイオードの一端側から他端側に、さらに一端側へ戻るように、各発光ダイオードを、順次、点灯及び消灯を繰り返すことによって、あたかも、一個の発光ダイオードが回転するリフレクタとともに円を描いて走行しているように目視でき、いわゆるパトランプの如く発光態様を呈するようになっている。
【０００６】
しかし、特許文献１に示す発光装置は、上述したように、遊技者側に凸となる円弧状に配置された複数の発光ダイオードが、それぞれ、隣接する他の発光ダイオードと区画壁によって区画された構成となっている。
【０００７】
これら区画壁は、発光ダイオードに対向する面がリフレクタとなっており、当該リフレクタが発光ダイオードの光を所定の方向に反射することで、隣同士の発光ダイオードの光をそれぞれ区別して目視できるようになっている。これにより、並設される複数の発光ダイオードを、並設方向へ、順次、点灯及び消灯を繰り返すことにともない、リフレクタがあたかも回転しているように目視できる効果を奏するようになっている。
【０００８】
しかし、このような構成において、発光装置をよりリアルにパトランプの如く発光態様を呈するように構成する場合、遊技者側に凸となる円弧状に配置された複数の発光ダイオードの一部（特に端部側に位置する発光ダイオード）は遊技者側とは異なる側（たとえば、遊技者から観て左側あるいは右側）に光を照射することは免れ得なくなる。この場合、遊技者が通常の姿態（遊技を行っている状態の姿態）を保っている限りにおいて、前述の発光ダイオードと遊技者から観て手前側の発光ダイオードとの間に配置される区画壁によって、遊技者側とは異なる側（たとえば、遊技者から観て左側あるいは右側）へ照射される光が極めて見にくくなるという不都合が生じる。
【０００９】
このため、遊技者から観て左側あるいは右側へ指向させる光を照射させる発光ダイオードを配置させても、その効果があまり発揮されず、ひいては、よりリアルなパトランプの如く発光態様が充分に発揮されていないことが見いだされた。
【先行技術文献】
【特許文献】
【００１０】
【特許文献１】特開２００８−２９５５６６号公報
【発明の概要】
【発明が解決しようとする課題】
【００１１】
本発明はこのような事情に鑑みてなされたものであり、その目的は、よりリアルにパトランプの如く発光態様を呈するように構成した発光装置及びそれを備える遊技機を提供することにある。
【課題を解決するための手段】
【００１２】
本発明の発光装置及びそれを備える遊技機は、以下に示す構成によって把握される。
（１）本発明に係る第１の観点は、擬似的にパトランプの態様で発光する発光装置であって、基板と、基板上に円弧状に配置された複数の光源と、複数の光源を覆うように設けられた光反射部材とを備え、光反射部材が、各光源を区画する湾曲面から構成される複数の抉り部を有し、複数の抉り部のうち、複数の光源のうち正面視において端部に位置する端部側光源の正面側前方に位置する第１の抉り部が、端部側光源が発する光が正面から視認されるように、湾曲面に端部側光源を区画する他の湾曲面の背面側後方の一部が目視可能な貫通孔及び／又は切り欠き部を有することを特徴とする。
【００１３】
（２）上記（１）において、各抉り部は、光反射部材の外側に向かって開放された開口部と、開口部と反対側に形成された天井部と、隣接する他の抉り部との間を区画する区画壁とを有し、第１の抉り部は、さらに、端部側光源の正面側前方に位置する区画壁に背面側後方に位置する他の区画壁の一部が目視可能な貫通孔及び／又は切り欠き部を有し、天井部及び区画壁はそれらの内壁面を光反射面として構成されることができる。
【００１４】
（３）上記（１）又は（２）において、抉り部は、端部側光源の背面側後方にある区画壁において、光反射部材の径方向外方へ延出する延出部を有することができる。
【発明の効果】
【００１７】
本発明によれば、よりリアルにパトランプの如く発光態様を呈するように構成した発光装置及びそれを備える遊技機を提供することができる。
【図面の簡単な説明】
【００１８】
【図１】本発明の遊技機の遊技盤の概略を示す正面図である。
【図２】本発明の遊技機に備えられる発光装置を示す構成図である。
【図３】本発明の発光装置に組み込まれる光反射部材を示す斜視図及び断面図である。
【図４】前記反射部材を示す上面図、正面図、右側面図、左側面図、及び背面図である。
【図５】前記光反射部材と発光ダイオードの配置関係を示した説明図である。
【図６】発光ダイオードからの光が光反射部材に反射され該光反射部材の外方に照射される光路を示す図である。
【図７】切り欠きが形成された光反射部材の区画壁と切り欠きを有さない光反射部材の区画壁との関係を示した説明図である。
【発明を実施するための形態】
【００１９】
以下、添付図面を参照して、本発明を実施するための形態（以下、実施形態）について詳細に説明する。なお、実施形態の説明の全体を通して同じ要素には同じ番号を付している。
【００２０】
（実施形態）
＜遊技機の概略構成＞
図１は、本発明の遊技機の実施形態を示す概略図であって、パチンコ遊技機の機枠に組み込まれる遊技盤１０を示した平面図である。
【００２１】
図１において、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００２２】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえば、パチンコ遊技の最中においてインフォメーションを表示し、あるいは入賞の際にその興奮を盛り上げさせるような工夫がされた画像を表示するようになっている。
【００２３】
遊技領域１１の表示面１５Ａのたとえば右肩部には、発光装置２０が配置されている。この発光装置２０が配置される領域及びその近傍は、遊技領域１１を落下転動するパチンコ球が導かれることが無いようになっており（たとえば、上方に板状の突起物を設ける等することによって）、したがって、パチンコ球が発光装置２０に衝突してしまうのを回避できるようになっている。この発光装置２０は、その構成を後に詳述するが、複数の発光ダイオードを内蔵し、いわゆるパトランプの如く発光態様で光が照射されるように構成されている。そして、発光装置２０は、たとえば画像表示装置１５の表示内容に合わせて発光させることによって、該発光装置１５を遊技の演出を向上させる手段として用いることができるようになる。また、発光装置１５は、たとえば入賞によって遊技者に有利となる特別遊技状態（大当たり遊技状態）等が付与された場合に、上述のような発光態様によって、遊技者にその旨を告知し、遊技者の期待を高めることができるようになる。
【００２４】
遊技領域１１の画像表示装置１５の下部には、たとえば、表示面１５Ａ（開口１４）の下辺に沿い遊技者側に若干突出するステージ１６が設けられている。このステージ１６の上面はたとえば波状の湾曲面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至った場合、パチンコ球はステージ１６の円弧面上を揺動しながら排出口１７に落下できるようになっている。
【００２５】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。
【００２６】
なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００２７】
＜発光装置の概略構成＞
図２（ａ）は、発光装置２０を示した斜視図である。図２（ａ）において、遊技盤１０は、その表面が図中ｙｚ面に一致づけられるように、配置されるようになっている。図中ｘ方向は遊技者の奥行き方向であって遊技者が通常の姿態（遊技を行っている状態の姿態）で発光装置２０を目視できる方向となっている。また、図２（ｂ）は発光装置２０の上面図、図２（ｃ）は発光装置２０の正面図、図２（ｄ）は発光装置２０の側面図を示している。
【００２８】
発光装置２０は、遊技者側とは異なる側（たとえば、遊技者から観て左側あるいは右側）へ光を反射する光反射面（リフレクタ）と遊技者側へ光を反射する光反射面との間に存在する区画壁の一部に貫通孔及び／又は切り欠きを設けることにより、いままで見にくくかった光を前記貫通孔及び／又は切り欠きを通して一部目視できるようにしたものである。以下に、順次、説明する。
【００２９】
発光装置２０は、それに内蔵される後述の発光ダイオードを除き、たとえば成形樹脂によって構成されている。
【００３０】
発光装置２０は、まず、遊技盤１０（図１参照）に対して垂直（ｘｙ面）に配置される第１基板２１Ａと、この第１基板２１Ａと一体に形成され遊技盤１０に対して平行（ｙｚ面）に配置される第２基板２１Ｂとからなる基板２１を有している。第２基板２１Ｂの外側面（第１基板２１Ａが取り付けられた側と反対の面）には複数の突起部２２が形成されている。遊技盤１０には突起部２２に対応する位置に孔（図示せず）が設けられ、突起部２２は遊技盤１０の当該孔に挿入される等して、発光装置２０の遊技盤１０への取り付けがなされるようになっている。
【００３１】
第１基板２１Ａの上面のほぼ中央には光反射部材３０が配置されている。図４に示すようにこの光反射部材３０は、ほぼ円柱形状の部材からなり、上面から観た場合に円形をなし、正面あるいは側面から観た場合にほぼ矩形をなしている。また、この光反射部材３０は、後に詳述するが、円周方向に沿って複数（この実施形態では６個）の灯室（図４にて符号３６で示す）を備え、これら各灯室には天井部（図３にて符号３４で示す）を備えるようになっている。そして、図２では図示されていないが、第１基板２１Ａの上面にはたとえば発光ダイオード（図５にて符号４０で示す）が４個搭載されており、これら各発光ダイオードは、光反射部材３０の各灯室のうち正面側（遊技者側）に隣接して配置される４個の灯室内に配分されて配置されている。各発光ダイオードに接続される配線はたとえば第２基板２１Ｂに形成された孔２３を通して遊技盤１０の裏面側に引き出されるようになっている。これら各発光ダイオードは遊技盤１０の裏面に配置された電子制御基板（図示せず）に電気的に接続されるようになっている。これら発光ダイオードについても後に詳述する。
【００３２】
このような光反射部材３０が配置された第１基板２１Ａの遊技者側へ突出される先端辺は半円形状となるように形成されている。この半円形状は、その中心軸が光反射部材３０の中心軸とほぼ同軸となるように形成されている。第１基板１２Ａの上面には、光反射部材３０の一部（正面側）を被って透光性カバー２４が配置されている。この透光性カバー２４は、その底面が第１基板２１Ａの周辺上に載置できる形状となっている。すなわち、透光性カバー２４の底面は、第１基板２１Ａの先端辺の半円形状に沿った形状をなすとともに、その半円形の各両端から第１基板２１Ａの奥行き方向と平行となる各側端辺に沿った直線形状をなして構成されている。そして、透光性カバー２４は、第１基板２１Ａの先端辺側において、各側端辺側よりも高さが大きく形成され、かつ天面を有するように形成されている。
【００３３】
このように構成された透光性カバー２４は、図２（ｃ）に示すように、正面から見た場合にたとえばカップのような容器を逆さにした形状をなし、この容器が光反射部材３０を被って配置されているように認識できるようになる。このため、遊技者は透光性カバー２４を通して光反射部材３０を目視することになる。ここで、透光性カバー２４は、無色透明であってもよく、また、大部分の領域において透光性を確保できるかぎり種々の色あるいは色彩を付し、興趣を向上させるようにしてもよい。
【００３４】
＜光反射部材＞
図３（ａ）は、光反射部材３０を示した斜視図である。図３（ａ）において、ｘｙｚ軸方向は、図２（ａ）ないし（ｄ）に示したｘｙｚ軸方向と一致づけて示している。このため、図中ｘ方向は遊技者が通常の姿態（遊技を行っている状態の姿態）で透光性カバー２４を通して光反射部材を目視できる方向となっている。
【００３５】
なお、光反射部材３０は、たとえば樹脂の一体成形によって構成されている。そして、光反射部材３０の軽量化を図るため、たとえば、大部分の部位において肉厚を薄くかつ均一になるような工夫がされている。このため、図３（ａ）のｂ−ｂ線における断面図である図３（ｂ）に示すように、後述する内壁面（符号３７で示す）、天井部（符号３４で示す）、区画壁（符号３５で示す）等において、それぞれ、肉厚が薄くかつ均一に形成されている。また、図４には、その（ａ）において光反射部材３０の上面図、（ｂ）において光反射部材３０の正面図、（ｃ）において光反射部材３０の右側面図（遊技者から観て）、（ｄ）は光反射部材３０の左側面図（遊技者から観て）、（ｅ）は光反射部材３０の背面図を示している。
【００３６】
図３（ａ）、（ｂ）に示すように、光反射部材３０は、概略的な構成として、ほぼ円柱体３１をなし、この円柱体の側壁面において、周方向に沿って配列された複数（本実施例では６個）の抉り部３２が形成された形状となっている。これら抉り部３２によって、円柱体３１には、その下端に各抉り部３２に対応した開口３３が形成され、上端に各抉り部３２に対応した天井部３４が形成されるようになっている。また、各抉り部３２には、隣接される他の抉り部３２との間に区画壁３５が形成されるようになっている。このような抉り部３２は灯室３６として機能する。これら各灯室３６は、説明の便宜上、図４（ａ）に示すように、光反射部材３０を上面から観て、時計廻り方向に、３６ａ、３６ｂ、３６ｃ、３６ｄ、３６ｅ、３６ｆとし、このうち３６ａ、３６ｆが光反射部材３０を正面から観た場合（図４（ｂ）参照）に前方に位置づけられる灯室３６とする。
【００３７】
そして、光反射部材３０には、少なくとも、灯室３６の天井部３４及び区画壁３５を含めた内壁面３７に光反射面となる加工が施されている。このような加工として光反射部材３０に金属メッキを施す方法、光反射性塗料の塗布又は印刷、光反射性シートの貼付等により光反射層を形成する方法が挙げられる。また、このような加工を施すことなく、光反射部材３０の材質として光反射率の高い白色等の不透明樹脂を用いるようにしてもよい。このように、少なくとも各灯室３６の内壁面３７を光反射面とすることにより、各灯室３６は、その内壁面にリフレクタを備えたものとして構成される。
【００３８】
ここで、各抉り部３２のそれぞれは、図中ｘｙ面で断面をとった場合、たとえば光反射部材３０の中心軸（図中ｚ方向軸）側に凸を有する放物線形状となっている。また、光反射部材３０の中心軸を含む平面で断面をとった場合、たとえば光反射部材３０の上端側に凸を有する放物線形状のうち対称軸で分断される一方の側の半放物線形状となっている。これにより、抉り部３２によって構成される各灯室３６の天井部３４は、光反射部材３０の上端側に凸面を有するように形成されるとともに、光反射部材３０の下端を基準にした場合、光反射部材３０の側面側において高さが高く形成され、光反射部材３０の中心軸側において高さが低く形成されることになる。すなわち、光反射部材３０の天井部３４は、光反射部材３０の径方向（放射方向）へ指向するように配置されるように形成されるようになる。
【００３９】
ここで、図５は、第１基板２１Ａに搭載された複数の発光ダイオード４０と、第１基板２１Ａ上に配置される光反射部材３０との位置関係を示した構成図である。光反射部材３０は、各灯室３６ａ、３６ｂ、３６ｃ、３６ｄ、３６ｅ、３６ｆを含んだｘｙ面での断面を示している。第１基板２１Ａ上にはたとえば４個の発光ダイオード４０（符号４０ａ、４０ｂ、４０ｅ、４０ｆで示す）が搭載されている。これら各発光ダイオード４０は、光反射部材３０の各灯室３６のうち図中ｘ方向（遊技者側）から目視できる２個の灯室３６ａ、３６ｆにそれぞれ発光ダイオード４０ａ、４０ｆが配分され、これら灯室３６ａ、３６ｆに対してそれぞれ奥側に隣接する灯室３６ｂ、３６ｅにそれぞれ発光ダイオード４０ｂ、４０ｅが配分されて配置されている。このことから、発光ダイオード４０ａ、４０ｂ、４０ｅ、４０ｆのそれぞれは、光反射部材３０の中心軸を中心とする円弧状に配置され、この円弧の凸部は遊技者側に指向するようになっている。また、遊技者から観て、並設された各発光ダイオード４０のうち、その端部には発光ダイオード４０ｂあるいは発光ダイオード４０ｅが配置されるようになる。
【００４０】
図６は、発光ダイオード４０からの光が光反射部材３０に反射されて光反射部材３０の外部に放射される際の光路を示した断面図（光反射部材３０の中心軸を含む平面でとった断面図）である。図６に示すように、各発光ダイオード４０は、その上面が光照射面となっており、この光照射面からの光は、対応する灯室３６の内壁面（天井部３４、区画壁３５をも含む）３７に照射され、さらに反射されることによって灯室３６の外に照射されることになる。光反射部材３０の灯室３６の内壁面３７は上述した構成となっていることから、各灯室３６からの照射光は、光反射部材３０の径方向（放射方向）へ指向されて照射されるようになる。
【００４１】
なお、図５に示すように、光反射部材３０の各灯室３６のうち背面側に位置づけられる２個の灯室３６ｃ、３６ｄには発光ダイオード４０が配置されていない構成となっている。この実施形態の場合、光反射部材３０の背面側に位置づけられる２個の灯室３６ｃ、３６ｄは、遊技者側から目視できず、仮に、これらの灯室３６ｃ、３６ｄに発光ダイオード４０を配置させるようにしても、発光ダイオード４０からの光は遊技者に感知できないことになる。このため、これらの灯室３６ｃ、３６ｄには発光ダイオード４０を配置させないようにし、発光ダイオード４０及びそれに費やされる電力の無駄を省くように図っている。
【００４２】
これら、発光ダイオード４０は、たとえば、遊技者（図中ｘ方向）から観て、たとえば左側端の発光ダイオード４０ｂから右側端の発光ダイオード４０ｅへ、さらには左側端の発光ダイオード４０ｂに戻って、順次、点灯及び消灯を繰り返すことによって、一つの発光ダイオードが円を描いて回転しているように目視できる。そして、各発光ダイオード４０には内壁面３７が光反射面となっている灯室３６に配置され、この灯室３６はリフレクタとして機能することから、発光ダイオード４０は回転するリフレクタとともに円を描いて回転しているように目視できる。すなわち、パトランプの如く発光態様で発光を行うことができる。なお、各発光ダイオード４０の点滅パターンは上述したものに限定されることはなく、種々の点滅パターンに変更し得ることはいうまでもない。
【００４３】
そして、光反射部材３０は、それを正面（図中ｘ方向）から観た場合、２個の灯室３６ａ、３６ｆが目視できるようになっており、これら２個の灯室３６ａ、３６ｆをそれぞれ構成する区画壁３５には切り欠き３８Ａが設けられている。すなわち、図４（ｂ）、（ｃ）、（ｄ）に示すように、２個の灯室３６ａ、３６ｆの間に位置づけられる共通の区画壁３５には切り欠き３８Ａ（図４（ｃ）、（ｄ）参照）が設けられ、一方の灯室３６ａとその奥側の灯室３６ｂの間に位置付けられる共通の区画壁３５には切り欠き３８Ｂ（図４（ｂ）、（ｃ）参照）が設けられ、他方の灯室３６ｆとその奥側の灯室３６ｅの間に位置付けられる共通の区画壁３５には切り欠き３８Ｃ（図４（ｂ）、（ｄ）参照）が設けられている。それぞれの切り欠き３８Ａ、３８Ｂ、３８Ｃは、たとえば、抉り部３２のほぼ半分の高さから光反射部材３０の下端にかけて切り欠き幅を徐々に大きくするような形状で形成されている。また、切り欠き３８Ｂ、３８Ｃは、切り欠き３８Ａよりも大きく切り欠かれている。
【００４４】
ここで、たとえば図４（ｂ）に示すように、灯室３６ａを構成する一対の区画壁３５のうち一方の区画壁３５（正面側から奥側の隔壁面：便宜上、符号３５Ａで示す）には切り欠きが設けられておらず、光反射部材３０を正面から観た場合、区画壁３５Ａは、灯室３６ａの他方の区画壁３５の切り欠き３８Ｂを通して目視できるようになっている。同様に、灯室３６ｆを構成する一対の区画壁３５のうち一方の隔壁面（正面側から奥側の隔壁面：便宜上、符号３５Ｂで示す）には切り欠きが設けられておらず、光反射部材３０を正面から観た場合、区画壁３５Ｂは、灯室３６ｅの区画壁３５の切り欠き３８Ｃを通して目視できるようになっている。
【００４５】
なお、このように切り欠き３８が設けられていない区画壁３５は、切り欠き３８が設けられた区画壁３５に対し、切り欠かきの端側面より径方向（放射方向）へ延出されて形成されていると把握でき、この明細書において延出部と称する場合がある。したがって、区画壁３５の延出部はその延出方向の端辺が光反射部材３０の側壁面に一致する場合に止まることなく、該側壁面より外方（径方向、放射方向）にさらに延出されて構成されていてもよい。このことを、さらに図７（ａ）、（ｂ）を用いて説明する。図７（ａ）、（ｂ）は、それぞれ、たとえば灯室３６ｂにおいて、遊技者から観た場合の切り欠き３８Ｂが形成されている区画壁と切り欠きが形成されていない区画壁３５Ａとの位置関係を示した図である。図７（ａ）の場合、区画壁３５Ａの端辺は、たとえば、光反射部材３０の側面（図中３０Ｓで示す）の延長上にあるように形成されている。この場合、区画壁３５Ａは、切り欠き３８Ａが設けられた区画壁３５に対し、切り欠き３８Ａの端側面より径方向（放射方向）へ延出されて形成されていると把握することができる。また、図７（ｂ）の場合、区画壁３５Ａは、図６（ａ）の場合と比べて、さらに径方向（放射方向）へ延出されていることを示している。
【００４６】
このように構成された光反射部材３０は、たとえば図４（ｂ）に示すように、正面から観た場合、前方の２個の灯室３６ａ、３６ｆの他に、区画壁３５の切り欠き３８Ｂ、３８Ｃを通して、それぞれの灯室３６ａ、３６ｆの奥側に位置づけられる灯室３６ｂ、３６ｅの一部（反射面となる内壁面３７）を目視できる状態に形成することができる。このことは、灯室３６ｂに配置される発光ダイオード４０ｂ（図５参照）から該灯室３６ｂにおいて反射される一部の光を遊技者が充分に目視でき、その光量は増大されて感知できるようになる。同様に、灯室３６ｅに配置される発光ダイオード４０ｅ（図５参照）から該灯室３６ｅにおいて反射される光の一部を遊技者が充分に目視でき、その光量は増大されて感知できるようになる。このことから、端部に位置する発光ダイオード４０ｂ、４０ｅからの光を遊技者が見易くなり、発光装置をよりリアルにパトランプの如く発光態様を呈するように構成できるようになる。
【００４７】
上述した実施形態では、光反射部材の区画壁に切り欠きを設けた構成として示したものである。しかし、切り欠きに限定されることはなく該切り欠きに替えて貫通孔を設けるようにしてもよく、また、該貫通孔を切り欠きとともに設けるようにしてもよい。このようにした場合でも、同様の効果を奏することができるからである。また、上述した実施形態では、光反射部材３０はほぼ円柱形をなす部材として構成したものである。しかし、円柱形に限定されることはなく、楕円柱形であってもよい。また、柱状の部材の中心軸に交差する面で断面をとった際に、断面形状が６角形、８角形等、それ以上の多角形であってもよい。また、この場合、柱状の部材の中心軸に交差する断面が、遊技者側の形状と奥側の形状とが対称となっている必要はない。光反射部材３０の奥側には発光ダイオード４０を配置しなくてもよく、このため、たとえば抉り部３２（灯室３６）を形成しなくてもよい形状とすることができるからである。さらに、光反射部材３０は必ずしも柱状に限られることはなく、たとえば半球状等のように他の形状であってもよい。
【００４８】
上述した実施形態では、光反射部材３０に形成される抉り部３２（灯室３６）は６個で形成されたものとなっている。しかし、この数に限定されることはなく、６個よりも少なくてもあるいは多くてもよい。本発明の発光装置がパトランプの如く発光態様を呈することができる限り、その数が限定されることはない。この場合、発光ダイオード４０の数も抉り部３２（灯室３６）の数に応じて設定されるようになる。
【００４９】
上述した実施形態では、発光装置２０の光源として発光ダイオードを用いたものである。しかし、発光ダイオードに限定されることはなく、他の種類の光源であってもよいことはいうまでもない。
【００５０】
上述した実施形態では、遊技機の一例としてパチンコ機を揚げて説明したものである。しかし、パチンコ機に限定されることはなく、たとえばパチスロ機等のように他の遊技機にも適用することができる。
【００５１】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５２】
１０……遊技盤、１１……遊技領域、１２……ガイドレール、１２Ａ……外側レール、１２Ｂ……内側レール、１３……アウト口、１４……開口、１５……画像表示装置、１５Ａ……表示面、１６……ステージ、１７……排出口、１８……始動口、１９……大入賞口、１９Ａ……大入賞口扉、２０……発光装置、２１……基板、２１Ａ……第１基板、２１Ｂ……第２基板、２２……突起部、２３……孔、２４……透光性カバー、３０……光反射部材、３１……円柱体、３２……抉り部、３３……開口、３４……天井部、３５……区画壁、３６、３６ａ、３６ｂ、３６ｃ、３６ｄ、３６ｅ、３６ｆ……灯室、３７……内壁面（灯室の）、３８Ａ、３８Ｂ、３８Ｃ……切り欠き、４０、４０ａ、４０ｂ、４０ｅ、４０ｆ……発光ダイオード。
【要約】
【課題】発光装置をよりリアルにパトランプの如く発光態様を呈するように構成した発光装置及びそれを備える遊技機を提供する。
【解決手段】擬似的にパトランプの態様で発光する発光装置（２０）であって、基板（２１Ａ）と、基板（２１Ａ）上に円弧状に配置された複数の光源（４０）と、複数の光源（４０）を覆うように設けられた光反射部材（３０）とを備え、光反射部材（３０）が、各光源（４０）を区画する湾曲面から構成される複数の抉り部（３２）を有し、複数の抉り部（３２）のうち、複数の光源（４０）のうち正面視において端部に位置する端部側光源（４０ｂ，４０ｅ）の正面側前方に位置する第１の抉り部（３６ａ，３６ｆ）が、端部側光源（４０ｂ，４０ｅ）が発する光が正面から視認されるように、湾曲面に貫通孔及び／又は切り欠き部（３８Ｂ，３８Ｃ）を有する。
【選択図】図４【図１】
0005482949.tif 000002
【図２】
0005482949.tif 000003
【図３】
0005482949.tif 000004
【図４】
0005482949.tif 000005
【図５】
0005482949.tif 000006
【図６】
0005482949.tif 000007
【図７】
0005482949.tif 000008